(57)【特許請求の範囲】
【請求項１】
合成繊維のマルチフィラメント糸よりなるたて糸（４）と、その全部又は一部として合成樹脂のブリッスル（５ａ）又は金属線を有するよこ糸（５）とを、表面に前記たて糸（４）が長く浮く綾織り組織により、表面によこ糸（５）が露出しないように筒状に織成して筒状織布（２）を形成し、当該筒状織布（２）の内面に柔軟な水密性の皮膜（３）を形成したホースにおいて、前記たて糸（４）を構成する単繊維（６）が、ホースの表面においてそのホースの長さ方向にほゞ一致していることを特徴とする、消火栓用ホース
【請求項２】
前記たて糸（４）の単繊維のフィラメント数が６０〜１２０であることを特徴とする、請求項１に記載の消火栓用ホース
【発明の詳細な説明】
【０００１】
【発明の属する技術分野】
本発明は消火栓用ホースに関するものであって、特に高速道路などのトンネル内に設置される消火栓に使用する、不使用時においても円形断面を保持する形式の消火栓用ホースに関するものである。
【０００２】
【従来の技術】
高速道路などのトンネルにおいては、そのトンネル内で火災が生じると大災害になる可能性があるため、所定の間隔毎に消火栓を設置し、速やかに消火活動が行えるように配慮されている。
【０００３】
消火栓に用いられるホースとしては、通常の消防用ホースと同様に筒状織布の内面に水密性の皮膜を形成した形式の、扁平に折り畳み可能のホースが使用されることが多かったが、この種のホースは全長に亙って消火栓から引き出さなければ放水することができず、狭いトンネル内で使用するには不適切であることから、不使用時においても円形断面を保持する形式の保形ホースが使用され、これをリール状に巻いて消火栓に収容することが行われている。
【０００４】
このようなホースは、リールに巻いた状態でコンパクトに収納することができ、またそのリールから必要な長さだけ引き出し、且つ残りがリールに巻回されたままで通水することが可能であって、トンネル内の消火栓用のホースとしては好適である。
【０００５】
そしてかかる形式のホースとしては、合成樹脂のブリッスル又は金属線などの剛直な線材をよこ糸とし、このよこ糸と合成繊維のたて糸とを筒状に織成し、その内面に柔軟な水密性の皮膜を形成したものが使用され、通常内径３５mm、長さ３０ｍ程度のものが使用されている。
【０００６】
【発明が解決しようとする課題】
ところでこの種のホースを使用して消火活動を行う場合には、ホースに通水しながらそのホースを引き出して筒先を火災現場にまで到達させるのであるが、長尺のホースに水を満たした状態で引っ張るためにかなり重くなり、しかもそのホースをアスファルトの路面上を引き摺ることとなるため、その引き摺り抵抗は相当に大きいものとなる。
【０００７】
特にトンネル内における消火栓の設置間隔を過度に小さくしないためには、ホースの長さをできるだけ長くすることが好ましいが、ホースを長くするとそれだけの長さのホースを引き摺らなければならず、大きな力を必要とし、作業性が悪いものとなる。
【０００８】
本発明はかかる事情に鑑みなされたものであって、前記形式のホースにおいて、そのホースに水を満たした状態で路面上を引き摺るときの抵抗が小さく、作業性の良好な消火栓用ホースを提供することを目的とするものである。
【０００９】
【課題を解決するための手段】
而して本発明の消火栓用ホースは、合成繊維のマルチフィラメント糸よりなるたて糸と、その全部又は一部として合成樹脂のブリッスル又は金属線を有するよこ糸とを、表面に前記たて糸が長く浮く綾織り組織により、表面によこ糸が露出しないように筒状に織成して筒状織布を形成し、当該筒状織布の内面に柔軟な水密性の皮膜を形成したホースにおいて、前記たて糸を構成する単繊維が、ホースの表面においてそのホースの長さ方向にほゞ一致していることを特徴とするものである。
【００１０】
また本発明の消火栓用ホースにおいては、前記たて糸の単繊維のフィラメント数が６０〜１２０であることが好ましい。
【００１１】
【発明の実施の形態】
図面は本発明の消火栓用ホースの実施の一形態を示すものである。図１は本発明の消火栓用ホース１の斜視図であって、この消火栓用ホース１は筒状織布２の内面に水密性の皮膜３が形成されている。
【００１２】
図２は前記消火栓用ホース１の一部の中央縦断面図であって、筒状織布２はたて糸４とよこ糸５とを筒状に織成してなっており、たて糸４は通常の合成繊維のマルチフィラメント糸よりなっている。
【００１３】
よこ糸５は合成樹脂の剛直なブリッスル５ａと合成繊維糸よりなる裏よこ糸５ｂとを交互に配置してなり、ブリッスル５ａと前記たて糸４とが、表面にたて糸４が長く浮く２／１綾織り組織で、且つ表面にブリッスル５ａが露出することがないようにたて糸４を高密度で織成されている。
【００１４】
そしてその内側の前記ブリッスル５ａの間の位置に前記裏よこ糸５ｂが配置され、所定の間隔毎にたて糸４で接結されている。この筒状織布２の織り組織が図３に示されている。
【００１５】
なお本発明においては裏よこ糸５ｂは必ずしも必要ではないが、たて糸４とブリッスル５ａとのみで筒状織布２を織成した場合には、内面の凹凸が激しくなって流水抵抗が大きくなり、また内面にブリッスル５ａが長く浮くこととなるため皮膜３との接着が不十分となる。
【００１６】
従って図面のように、内面のブリッスル５ａの間の位置に裏よこ糸５ｂを配置することにより、筒状織布２の内面を平滑にして流水抵抗を軽減すると共に、裏よこ糸５ｂにより皮膜３との接着性を高めるのが好ましい。
【００１７】
また前記筒状織布２のブリッスル５ａに代えて、ピアノ線などの金属線を使用することもできる。また筒状織布２の織り組織は、前記例においては２／１綾織り組織であるが、例えば３／１又は４／１などの、表面にたて糸４が長く浮く綾織り組織を使用することもできる。
【００１８】
そして本発明においては、前記たて糸４を構成する単繊維６が、消火栓用ホース１の表面においてその消火栓用ホース１の長さ方向にほゞ一致している点に特徴を有している。
【００１９】
前記たて糸４とブリッスル５ａとの２／１綾織り組織においては、たて糸４が二本のブリッスル５ａの上に浮き、次に一本のブリッスル５ａの下に沈むことを繰り返し、隣接するたて糸４においては、ブリッスル５ａ一本分ずつずれて浮沈している。
【００２０】
そのため特定のブリッスル５ａに対しては隣接する二本のたて糸４がブリッスル５ａの上に浮き、その両側に隣接するたて糸４がブリッスル５ａの下に沈むこととなり、且つ表面にブリッスル５ａが露出することがない程度にたて糸４の密度が高いため、ブリッスル５ａの上に浮いた二本のたて糸４は互いに押し合って、隣接する沈んだたて糸４の位置に寄せられる。
【００２１】
そして特定のたて糸４が二本のブリッスル５ａの上に浮いているとき、隣接するたて糸４がブリッスル５ａ一本分ずつずれるため、その二本のブリッスル５ａの上においてそれぞれ異る側に隣接するたて糸４が浮き、それによってそれぞれ逆方向に寄せられることとなるため、図４に示されるように、たて糸４は二本のブリッスル５ａの上でやゝ斜めに配置されることとなる。
【００２２】
従ってこの状態でそのたて糸４を構成する単繊維６が消火栓用ホース１の表面において、その長さ方向に一致するためには、たて糸４が前述のように斜めに配置される角度を打ち消す方向に撚りをかける必要がある。そのたて糸４の撚りは、具体的な筒状織布２の織り組織により決定される。
【００２３】
なお本発明においては、たて糸４を構成する単繊維６が消火栓用ホース１の長さ方向に一致しており、消火栓用ホース１を引き摺ったときには、単繊維６がその長さ方向に路面を滑ることになる。
【００２４】
そのため単繊維６が路面に対して滑り易いものであることが要求され、且つその単繊維６自体が摩擦により切断されにくいものであることが必要である。そのためたて糸４は、通常のマルチフィラメント糸よりも単繊維６が太いものであることが好ましく、たて糸４の単繊維６のフィラメント数が６０〜１２０であることが好ましい。
【００２５】
【作用】
本発明においては、消火栓用ホース１の表面において筒状織布２のたて糸４を構成する単繊維６が、消火栓用ホース１の長さ方向にほゞ一致して延びているので、消火栓用ホース１を路面上でその長さ方向に引き摺ったとき、その引き摺り方向がたて糸４の単繊維６の方向と一致することとなり、単繊維６に交差する方向に引き摺る場合に較べ、引き摺り抵抗が大幅に軽減される。
【００２６】
また本発明においては、筒状織布２の織り組織が表面にたて糸４が長く浮く綾織り組織を採用することにより、前述のように単繊維６を消火栓用ホース１の長さ方向に一致させるために、たて糸４に撚りがかけられるので、たて糸４の強度が確保され、耐摩耗性も十分に高いものとなる。
【００２７】
一般に消防用ホースにおいては、耐圧性能を負担するよこ糸が摩擦などにより損傷しないように、たて糸の密度を高くしてそのたて糸でよこ糸が露出しないように覆うことが行われている。
【００２８】
このようなホースにおいて筒状織布の織り組織が平織りや朱子織りなどの組織であると、そのたて糸自体がホースの長さ方向に一致して延びるため、たて糸の単繊維をホースの長さ方向に一致させるためには、たて糸として無撚りの糸条を使用することとなり、耐磨耗性が極端に低下する。
【００２９】
本発明においては、綾織り組織を使用することにより、たて糸４に撚りをかけるにもかかわらずその単繊維を消火栓用ホース１の長さ方向に一致させることが可能となるのである。
【００３０】
【発明の効果】
従って本発明によれば、消火栓用ホース１の引き摺り抵抗を大幅に低下させることができ、水を満たした重い長尺のホースを、路面を引き摺りながらリールから引き出し、速やかに火災現場に近付いて放水することができる。
【００３１】
また引き摺り抵抗が低下するので、より長いホースを長い距離に亙って引き摺ることが可能となり、消火栓からより遠くまで放水することができ、トンネル内における消火栓の設置間隔を拡げることもできる。
【図面の簡単な説明】
【図１】  本発明の消火栓用ホースの斜視図
【図２】  本発明の消火栓用ホースの一部の中央縦断面図
【図３】  図２における筒状織布の織り組織を示す平面図
【図４】  本発明の消火栓用ホースの表面図
【符号の説明】
１  消火栓用ホース
２  筒状織布
３  皮膜
４  たて糸
５  よこ糸
５ａ  ブリッスル
５ｂ  裏よこ糸
６  単繊維
【図１】
0004614558.tif 000002
【図２】
0004614558.tif 000003
【図３】
0004614558.tif 000004
【図４】
0004614558.tif 000005